(57)【要約】【課題】  搬送工程間に設置されるスポット式のリフターは、建屋のベースに立設した枠体と、枠体に立設した支柱に昇降自在に設けたリフターとで構成する。搬送ラインの変更に合せて、リフターの搬送位置を変更する場合は、枠体、支柱等を交換する必要があり、余分の設備と、手間を要する問題があった。またこの交換は、基礎工事から行う必要があり、厄介であること、作業時間を要し、仕事に弊害が発生すること等の問題があった。【構成】  本発明は、ベースに着脱自在に設けた支柱と、支柱の自由端に着脱自在に設けた駆動ベースと、駆動ベースに設けたワイヤ巻取り、巻戻し用の駆動部と、駆動部に架承したワイヤ捲装用のドラムと、支柱に支持され、かつ支柱に添って昇降するワイヤの一端が係止されたリフターと、リフターに固止したテーブルと、支柱に隣接して設けた補助支柱とで構成した工場専用のリフターである。【選択図】      図1
2005206366.tif 000002
【特許請求の範囲】
【請求項１】
ベースに着脱自在に設けた角パイプ等のパイプで構成した支柱と、この支柱の自由端に着脱自在に設けた駆動ベースと、この駆動ベースに設けたワイヤ巻取り、巻戻し用のモータ、減速機等の駆動部と、この駆動部に架承したワイヤ捲装用のドラムと、前記支柱に支持され、かつこの支柱に添って昇降する前記ワイヤの一端が係止されたリフターと、このリフターに固止したテーブルと、前記支柱に隣接して設けた補助支柱とで構成した工場専用のリフター。
【請求項２】
請求項1に記載のドラムに、ワイヤ矯正用のスプリング等の弾性体を備えた押圧板が支持される構成とした工場専用のリフター。
【請求項３】
請求項1に記載のベースに着脱自在に設けた角パイプ等のパイプで構成した支柱は、支柱に設けた挿入体を、前記ベースに設けた筒体に挿嵌する構成とした工場専用のリフター。
【請求項４】
請求項1に記載のリフターは、可動框を備え、この可動框に前記ワイヤの一端を係止し、またこの可動框とこのリフター本体との間にスプリングを係止し、当該可動框が前記ワイヤの切断により可動した際に停止するストッパーをこの支柱の適所に設ける構成とした工場専用のリフター。
【発明の詳細な説明】
【技術分野】
【０００１】
本発明は、工場専用のリフターに関し、組立て自在で、かつワイヤの無端性と、支柱の取替えとを利用して昇降距離を、簡易に変更できることを特徴とした搬送工程間に設置されるスポット式の工場専用のリフターを提供する。
【背景技術】
【０００２】
従来、例えば、搬送工程間に設置されるスポット式のリフターは、建屋（工場、倉庫又はその他の建物等を云う）に設けたベース（イ）又は建屋に立設した枠体（ロ）を利用し、この枠体（ロ）に立設した支柱（ハ）に昇降自在にリフター（ニ）を組付ける構成である（図10参照）。従って、支柱の長さ（高さ）を変更することは、極めて困難であった。そのため搬送ラインの変更に合せて、当該リフターの搬送（停止）位置を変更する場合には、例えば、枠体（ロ）、支柱（ハ）等を交換して、所定の高さを備えた、この種の枠体（ロ）、支柱（ハ）等に変更する必要があって、不便であり、また余分の設備と、手間を要すること等の問題があった。そして、不要となった、この枠体（ロ）、支柱（ハ）等の保管、取扱い等に苦慮する。さらに他の機種のリフターへの変更は、その多くの場合において、基礎工事から行う必要があり、厄介であること、作業時間を要し、仕事に弊害が発生すること等の問題があった。尚、この種のリフターで機構の一部にチェーン等の動力伝達を採用する構造では、前述の問題がより顕著になることが考えられる。
【０００３】
このような搬送位置の変更は、製造する機種の変更、製造品等の変更毎に、頻発に行われる場合がある。この場合には、時間的な制約を初めとして、例えば、場所・作業者の確保、装置の保管問題の如く、苦労することが間々発生する。
【０００４】
そして、この種のリフターにおいて、ワイヤを利用したリフター（昇降装置）を検索したので、列挙する。文献（1）は、特開平11-314891号の「リフト装置」である。この発明は、天井走行クレーンに設けられた揚重ワイヤと、この揚重ワイヤに設けたリフトと、前記揚重ワイヤを駆動する揚重ウインチと、前記揚重ワイヤに係止したバランスウエイトとを主構成とし、このバランスウェイトを利用してウインチの駆動力の低減と、リフターの揚重高さ調整を容易にすること等を意図する。また文献（2）は、特開2000-184525の「配電盤機器のハンドリング用リフタ」である。この発明は、台車に主マストに添って昇降する昇降台と、この昇降台より突出する荷台と、この荷台の姿勢を適宜コントロールする姿勢制御手段とを主構成とし、配電盤への機器の搬入、搬出を人手で行うときに、その労力の軽減を意図する。
【０００５】
【特許文献１】特開平11-314891号
【０００６】
【特許文献２】特開2000-184525
【発明の開示】
【発明が解決しようとする課題】
【０００７】
前記文献（1）、（2）は、リフト（リフター）を、ワイヤを使用して昇降する装置である。しかし、この文献（1）、（2）は、天井走行クレーンに揚重ワイヤを設けた構造であり、又は固定式の主マストにワイヤを設ける構造であるので、工場の中継ぎ用のリフターとして最適な構造とは、必ずしもいえない。
【０００８】
前述した工場の中継ぎ用のリフターとしての要求される条件を列挙する。（イ）リフターの停止位置を変更できること、（ロ）支柱の長さを適宜変更できること、（ハ）支柱を簡易かつ短時間に取替えできること、（ニ）装置全体のカバーを容易に変換できること等が挙げられる。
【０００９】
そこで、文献（1）、（2）と、前記工場の中継ぎ用のリフターとしての要求される条件を比較検討すると、この文献（1）、（2）は、前記（イ）〜（ニ）の条件を充足しない。従って、工場の中継ぎ用のリフターとしての使用には問題がある。
【００１０】
上記に鑑み、本発明は、少なくとも前記（イ）〜（ニ）の条件を充足し、工場の中継ぎ用のリフターとして最適な装置を提供する。また本発明は、工場の中継ぎ用のリフターとして最適な構成の提供と、前記（イ）〜（ニ）の条件を達成できる構成の提供を意図する。
【課題を解決するための手段】
【００１１】
請求項1の発明は、前述の（イ）〜（ニ）の条件を充足し、工場の中継ぎ用のリフターとして最適な装置の提供と、また本発明は、工場の中継ぎ用のリフターとして最適な構成であって、前記（イ）〜（ニ）の条件を達成できる構成の提供を意図する。
【００１２】
請求項1は、ベースに着脱自在に設けた角パイプ等のパイプで構成した支柱と、この支柱の自由端に着脱自在に設けた駆動ベースと、この駆動ベースに設けたワイヤ巻取り、巻戻し用のモータ、減速機等の駆動部と、この駆動部に架承したワイヤ捲装用のドラムと、前記支柱に支持され、かつこの支柱に添って昇降する前記ワイヤの一端が係止されたリフターと、このリフターに固止したテーブルと、前記支柱に隣接して設けた補助支柱とで構成した工場専用のリフターである。
【００１３】
請求項2の発明は、工場の中継ぎ用のリフターとして最適な構成の提供と、前記（イ）〜（ニ）の条件を達成できる個々の構成を提供とを意図する。
【００１４】
請求項2は、請求項1に記載のドラムに、ワイヤ矯正用のスプリング等の弾性体を備えた押圧板が支持される構成とした工場専用のリフターである。
【００１５】
請求項3の発明は、請求項1の目的を達成すること及び/又はこの工場の中継ぎ用のリフターとして最適な支柱を提供することを意図する。
【００１６】
請求項3は、請求項1に記載のベースに着脱自在に設けた角パイプ等のパイプで構成した支柱は、支柱に設けた挿入体を、前記ベースに設けた筒体に挿嵌する構成とした工場専用のリフターである。
【００１７】
請求項4の発明は、請求項1の目的を達成すること及び/又はこの工場の中継ぎ用のリフターとして最適なリフターを提供することを意図する。
【００１８】
請求項4は、請求項1に記載のリフターは、可動框を備え、この可動框に前記ワイヤの一端を係止し、またこの可動框とこのリフター本体との間にスプリングを係止し、当該可動框が前記ワイヤの切断により可動した際に停止するストッパーをこの支柱の適所に設ける構成とした工場専用のリフターである。
【発明の効果】
【００１９】
請求項1の発明は、ベースに着脱自在に設けたパイプで構成した支柱と、支柱の自由端に着脱自在に設けた駆動ベースと、駆動ベースに設けたワイヤ巻取り、巻戻し用のモータ、減速機等の駆動部と、駆動部に架承したワイヤ捲装用のドラムと、支柱に支持され、かつ支柱に添って昇降するワイヤの一端が係止されたリフターと、リフターに固止したテーブルと、支柱に隣接して設けた補助支柱とで構成した工場専用のリフターである。
【００２０】
従って、請求項1は、前述の（イ）〜（ニ）の条件を充足し、工場の中継ぎ用のリフターとして最適な装置の提供と、また本発明は、工場の中継ぎ用のリフターとして最適な構成であって、前記（イ）〜（ニ）の条件を達成できる個々の構成を提供できること等の特徴がある。
【００２１】
請求項2の発明は、請求項1に記載のドラムに、ワイヤ矯正用のスプリング等の弾性体を備えた押圧板が支持される構成とした工場専用のリフターである。
【００２２】
従って、請求項2は、工場の中継ぎ用のリフターとして最適な構成の提供と、前記（イ）〜（ニ）の条件を達成できる個々の構成が提供できる特徴がある。
【００２３】
請求項3の発明は、請求項1に記載のベースに着脱自在に設けた角パイプ等のパイプで構成した支柱は、支柱に設けた挿入体を、ベースに設けた筒体に挿嵌する構成とした工場専用のリフターである。
【００２４】
従って、請求項3は、請求項1の目的を達成できること及び/又はこの工場の中継ぎ用のリフターとして最適な支柱が提供できる特徴がある。
【００２５】
請求項4の発明は、請求項1に記載のリフターは、可動框を備え、可動框にワイヤの一端を係止し、また可動框とリフター本体との間にスプリングを係止し、可動框がワイヤの切断により可動した際に停止するストッパーを支柱の適所に設ける構成とした工場専用のリフターである。
【００２６】
従って、請求項4は、請求項1の目的を達成できること及び/又はこの工場の中継ぎ用のリフターとして最適なリフターが提供できる特徴がある。
【発明を実施するための最良の形態】
【００２７】
本発明の一例を説明する。
【００２８】
先ず、図1〜図9の一例を説明すると、1は床面、移動ベース又は床面設置型ベース等のベースで、このベース1には、角柱状の支柱2を着脱自在に設け得る取付け手段3が設けられている。この取付け手段3は、ベース1に穿孔した螺孔300と、前記支柱2より延設した支持体200と、この支持体200より挿入したボルト等の緊締具301とで構成し、この支持体200の孔（図示せず）から挿入した緊締具301を螺孔300に螺合等して緊締することで、ベース1に支柱2が設けられる。尚、この例では、取付け手段3は、支柱2の両側に対で設けられているが、大きさ、搬送物、価格等の面を考慮して適宜数設けられる。そして、この支柱2には、ワイヤ捲装用のドラム及び/又は駆動部等を備えた駆動ベース4を着脱自在に設け得る取付け手段5が設けられている。この取付け手段5は、支柱2に支持体202と、この支持体202に設けた孔203と、この駆動ベース4に開設した孔400と、この孔400に挿入されるボルト401と、このボルト401に螺合されるナット402とで構成されており、この支持体202の孔203と、駆動ベース4に開設した孔400とを整合し、この整合孔にボルト401を挿入し、ナット402を螺合することにより、支柱2に駆動ベース4が設けられる。尚、この例では、取付け手段5は、駆動ベース4の両側に対で設けられているが、前述と同様に限定されない。前記ボルト401とナット402は一例であり限定されず、他の緊締具でも可能である。
【００２９】
以上で説明した取付け手段3、5を利用することで、支柱2の取替え、又は捲装手段8及び/又は駆動ベース4の取替え等がワンタッチで行える。これによって、例えば、支柱2の長さ調整に役立ち、また捲装手段8の取替え等に有効である。さらに支柱2及び/又は捲装手段8の修理、点検等にも有益である。
【００３０】
6は支柱2に昇降自在に設けたリフターで、このリフター6は、支柱2の両側面2a、2aに僅かな間隔をもって添接される腕部600と、この腕部600に保持されるリフター本体601と、前記腕部600に腕片を介して設けた複数の転子602と、前記腕部600を枠組みするボルトとナットで構成する緊締部603とを主構成要素とし、支柱2に添接する複数の転子602を利用して昇降し、またワイヤ7が切断したときストッパー604が、枢支軸605を中心として回転し、支柱2に設けた複数のストッパー片204の何れかに衝止することで、この衝止した位置で停止される（安全性の確保を図る）。尚、606はストッパー604を作動するバネであり、支柱2とストッパー604との間に設けられる。また607は荷台を示す。尚、可動框は、前記腕部600と、複数の転子602、また腕部600を枠組みする緊締部603で構成する。
【００３１】
8はワイヤ7の巻取り、巻戻し（総称して捲装とする）を図る捲装手段であり、この捲装手段8は、減速機付きのモータ800と、このモータ800で正逆回転される回転胴体801（巻取り胴体）と、この回転胴体801に捲装されたワイヤ7とで構成される。尚、ワイヤ7は、例えば、この捲装手段8に設けた押圧板803を介して矯正される。即ち、押圧板803は、スプリング802の押圧力によりワイヤ7を矯正する。この矯正で、例えば、ワイヤ7の捩れ、擦れ、又は切断防止等に役立てる。その一例を説明すると、回転胴体801にワイヤ7がクロスして捲装された場合に、このクロス箇所に掛かる荷重による擦れ、又はその上に捲装されるワイヤ7の荷重による圧接及び/又は擦れ、またワイヤ7の盲動等からの回避と、又は装置の安全性の確保等を図る。そして、この回転胴体801へのワイヤ7の巻取り、巻戻しによって、リフター6が、支柱2に添ってスムーズに昇降する構造である。そして、昇降位置は、リミットスイッチ等のスイッチ9により所定の位置に停止する。
【００３２】
尚、このスイッチ9は支柱2に併設して設けた補助支柱10に設けられる。また補助支柱10の適所にはカバー11が、着脱自在に設けられる。このカバー11を、支柱2に着脱自在に設け得ることから、支柱2の長さの変更時、又は変更後等において有効に活用し、また事故防止、美観の向上、利便性等に寄与できる。
【００３３】
また図8、図9の一例を説明すると、この例では、捲装手段8を、モータ800ａと、このモータ800aで正逆回転される回転胴体801と、この回転胴体801とモータ800ａとの間を連繋する歯車804とで構成し、この歯車804を介してモータ800ａの回転を減速して回転胴体801に伝達する一例を示す。尚、この回転胴体801は、略ワイヤ7の幅の胴部と、この胴部の端を対で設けた鍔片で構成することから、例えば、ワイヤ7が順次（重ねるように）捲装される。従って、前述の如く、ワイヤ7の盲動と、擦れ防止等が図れる特徴がある。尚、12はバランスウエイトを備えたワイヤであり、このバランスウエイト（図示せず）をワイヤ7のスムーズな巻取りと、労力の軽減化等を図る。またこのバランスウエイトは、回転胴体801の巻取り時に下降して、前記の目的を達成する。またワイヤ7のストッパーとしての利用、また停止位置の確保等に活用できる。そして、この例では、ワイヤ7の終端にスプリング700を配して、リフター6と連繋する。このスブリング700を介してワイヤ7に常に緊張（テンション力）を付与して、このワイヤ7の盲動を回避する。これによって、ワイヤ7を順次、かつ弛緩することなく回転胴体801に巻き付け、巻戻しする構成となっている。即ち、このスブリング700は、ワイヤ7の伸びを矯正し、また停止時のスプリング7のバラケを防止する。また回転胴体801は軸受け13を介して架承される。
【００３４】
尚、図示しないが、必要により捲装手段8を、ベース1に設けることも有り得る。
【図面の簡単な説明】
【００３５】
【図１】本発明の工場専用のリフターの一例を示した斜視図
【図２】図1の例の側面図
【図３】（イ）は図1の例のベースと支柱との連繋関係を示した拡大側面図、（ロ）は図1の例の支柱と駆動ベースの連繋関係を示した拡大側面図
【図４】図1の例の捲装手段の側面図
【図５】図4の平面図
【図６】図1の例の回転胴体と押圧板との関係を示した側面図
【図７】図6の正面図
【図８】本発明の他の工場専用のリフターの一例を示した要部の平面図
【図９】図8の側面図
【図１０】この種の工場専用のリフターの一例を示した側面模式図
【符号の説明】
【００３６】
1            ベース
2            支柱
2ａ          側面
200          支持体
201          挿入体
202          支持体
203          孔
204          ストッパー片
3            取付け手段
300          螺孔
301          緊締具
4            駆動ベース
400          孔
401          ボルト
402          ナット
5            取付け手段
6            リフター
600          腕部
601          リフター本体
602          転子
603          緊締部
604          ストッパー
605          枢支軸
606          バネ
607          荷台
7            ワイヤ
700          スプリング
8            捲装手段
800          モータ
800ａ        モータ
801          回転胴体
802          スプリング
803          押圧板
804          歯車
9            スイッチ
10           補助支柱
11           カバー
12           バランスウエイトを備えたワイヤ
13           軸受け
【図１】
2005206366.tif 000003
【図２】
2005206366.tif 000004
【図３】
2005206366.tif 000005
【図４】
2005206366.tif 000006
【図５】
2005206366.tif 000007
【図６】
2005206366.tif 000008
【図７】
2005206366.tif 000009
【図８】
2005206366.tif 000010
【図９】
2005206366.tif 000011
【図１０】
2005206366.tif 000012